(57)【特許請求の範囲】
【請求項１】
内周面に係合溝を備えたホルダと、
該ホルダ内に回転可能に収容されたシリンダと、
該シリンダに挿入されるキーのキー山に係合する係合部を有し、キーの挿入方向に対して直交する方向に付勢された複数のタンブラと、
を備えて成るシリンダ錠において、前記係合部の位置が作動方向に沿って異なる段違いの複数種類のタンブラを選択して配置する構造であって、
１つのグループ内のシリンダ錠には、段違いが連続する所定種類のタンブラによって構成されるタンブラ集合Ａの中から選択された複数のタンブラを配置し、
別のグループ内のシリンダ錠には、段違いが連続して前記タンブラ集合Ａと同じ種類数のタンブラを有し、且つ、前記タンブラ集合Ａに含まれるタンブラと種類を異にする少なくとも１つのタンブラを含むタンブラ集合Ｂの中から選択された複数のタンブラを配置すること特徴とするシリンダ錠のタンブラ配置構造。
【請求項２】
前記タンブラ集合Ｂには前記タンブラ集合Ａに対してＮ種類の同じタンブラが含まれるように構成し、各グループ内の１つのシリンダ錠を構成する場合、前記タンブラ集合Ａ又はＢの中からそれぞれ少なくとも（Ｎ＋１）種類のタンブラを選択するように構成したことを特徴とする請求項１記載のシリンダ錠のタンブラ配置構造。
【発明の詳細な説明】
【技術分野】
【０００１】
本発明は、シリンダ内に複数のタンブラを出没可能に収容して成るシリンダ錠のタンブラの配置構造に関するものである。
【背景技術】
【０００２】
車両等に使用されるシリンダ錠には内溝キーによって解錠されるものがあるが、この種のシリンダ錠は、内周面に係合溝を備えたホルダと、該ホルダ内に回転可能に収容されたシリンダと、該シリンダに出没可能に収容された複数のタンブラ等によって構成されている。
【０００３】
ここで、上記複数のタンブラはキーの挿入方向に配置され、各タンブラにはキーのキー山に係合する係合部がそれぞれ形成され、各タンブラは、キーの挿入方向に対して直交する方向（ホルダの係合溝に係合する方向）に付勢されている。
【０００４】
斯かるシリンダ錠においてキーが挿入されていない状態では、全てのタンブラがホルダの係合溝に係合してシリンダの回転を阻止するために施錠状態が維持される。そして、シリンダに正規のキーが挿入されると、該キーのキー溝に形成された複数のキー山に各タンブラの係合部がそれぞれ係合し、各タンブラが付勢力に抗して径方向内方に移動してシリンダ内に没入し、該タンブラのホルダの係合溝との係合が解除されるために解錠状態となり、シリンダの回転が許容される。
【０００５】
ところで、シリンダ錠の鍵違い数（キーの山違い数）は、タンブラの数と各タンブラに形成された係合部の段違い数によって決定される。従って、鍵違い数を多くするにはタンブラの数と各タンブラに形成された係合部の段違い数を増やせば良い。
【０００６】
しかしながら、複数のタンブラはキーの挿入方向に沿って並んで配置されているため、その数を増やすとシリンダ錠の全長が長くなってしまうという問題が生ずる。
【０００７】
そこで、特許文献１には、隣り合うタンブラ同士を当接させて配置し、これらを互いに逆方向に付勢することによって、鍵違い数を確保した上で小型化を図ることができるシリンダ錠とこれに対応するキーが提案されている。
【先行技術文献】
【特許文献】
【０００８】
【特許文献１】特開２００５−３４４３０５号公報
【発明の概要】
【発明が解決しようとする課題】
【０００９】
ところで、タンブラに形成された係合部の段違い数を増やすと、キー挿入時のタンブラのシリンダ内での径方向への移動量が大きくなり、タンブラの付勢方向とは逆方向へのキーを抜いた状態でのタンブラのシリンダからの突出量が大きくなるため、シリンダ錠の外径が大きくなるという問題が生ずる。
【００１０】
又、タンブラの段違いのピッチを小さくすることによってタンブラの段違いの数を増やすことも考えられるが、このようにタンブラの段違いのピッチを小さくするとシリンダ錠の盗難防止機能が低下するという問題が発生する。
【００１１】
本発明は上記問題に鑑みてなされたもので、その目的とする処は、外径を極力小さく抑えつつ、鍵違い数を多く取ることができるシリンダ錠のタンブラ配置構造を提供することにある。
【課題を解決するための手段】
【００１２】
上記目的を達成するため、請求項１記載の発明は、
内周面に係合溝を備えたホルダと、
該ホルダ内に回転可能に収容されたシリンダと、
該シリンダに挿入されるキーのキー山に係合する係合部を有し、キーの挿入方向に対して直交する方向に付勢された複数のタンブラと、
を備えて成るシリンダ錠において、前記係合部の位置が作動方向に沿って異なる段違いの複数種類のタンブラを選択して配置する構造であって、
１つのグループ内のシリンダ錠には、段違いが連続する所定種類のタンブラによって構成されるタンブラ集合Ａの中から選択された複数のタンブラを配置し、
別のグループ内のシリンダ錠には、段違いが連続して前記タンブラ集合Ａと同じ種類数のタンブラを有し、且つ、前記タンブラ集合Ａに含まれるタンブラと種類を異にする少なくとも１つのタンブラを含むタンブラ集合Ｂの中から選択された複数のタンブラを配置することを特徴とする。
【００１３】
請求項２記載の発明は、請求項１記載の発明において、前記タンブラ集合Ｂには前記タンブラ集合Ａに対してＮ種類の同じタンブラが含まれるように構成し、各グループ内の１つのシリンダ錠を構成する場合、前記タンブラ集合Ａ又はＢの中からそれぞれ少なくとも（Ｎ＋１）種類のタンブラを選択するように構成したことを特徴とする。
【発明の効果】
【００１４】
請求項１記載の発明によれば、タンブラ集合Ａとタンブラ集合Ｂにそれぞれ含まれる段違いタンブラの種類が同数（種類は一部異なる）となるため、キーの挿入途中において各タンブラがキーのキー山に沿って突出方向に移動する長さ範囲がタンブラ集合Ａとタンブラ集合Ｂについて同じとなる。このため、タンブラ集合Ａとタンブラ集合Ｂに含まれる全てのタンブラの中から所定のタンブラを選択して配置する方法に比べてシリンダ錠の外径を小さく抑えることができる。又、タンブラ集合Ａとタンブラ集合Ｂは異なる種類（段違い）のタンブラを少なくとも１つ含むため、その分だけ全体として鍵違い数を増やすことができる。
【００１５】
請求項２記載の発明によれば、各タンブラ集合Ａ，Ｂは同じ種類のタンブラを含むように構成するとともに、各グループ内の１つのシリンダ錠を構成する場合、タンブラ集合Ａ又はＢの中からそれぞれ少なくとも（Ｎ＋１）種類のタンブラを選択するように構成しているため、各グループ間で共通する鍵を無くすことができ、鍵違い数の設定管理が容易化する。又、各タンブラ集合Ａ，ＢはＮ個の同じ種類のタンブラを含むよう設定されているため、より少ないタンブラの種類でシリンダ錠を構成することができる。
【図面の簡単な説明】
【００１６】
【図１】本発明に係るタンブラの配置構造を備えたシリンダ錠の側断面図である。
【図２】図１のＡ−Ａ線断面図であって、（ａ）はキー挿入状態を示し、（ｂ）はキー未挿入状態を示す。
【図３】図１のＢ−Ｂ線断面図であって、（ａ）はキー挿入状態を示し、（ｂ）はキー未挿入状態を示す。
【図４】タンブラ集合Ａ，Ｂに含まれるタンブラの種類を示す図である。
【図５】タンブラ集合Ａに対応するキーの側面図である。
【図６】タンブラ集合Ｂに対応するキーの側面図である。
【発明を実施するための形態】
【００１７】
以下に本発明の実施の形態を添付図面に基づいて説明する。
【００１８】
図１は本発明に係るタンブラ配置構造を備えたシリンダ錠の側断面図、図２は図１のＡ−Ａ線断面図、図３は図１のＢ−Ｂ線断面図、図４はタンブラ集合Ａ，Ｂに含まれるタンブラの種類を示す図、図５はタンブラ集合Ａに対応するキーの側面図、図６はタンブラ集合Ｂに対応するキーの側面図である。
【００１９】
図１に示すシリンダ錠１は、正規のキー１０の抜き差しによって解錠と施錠を行うものであって、有底筒状のホルダ２の内部にシリンダ３を回転可能に収容するとともに、シリンダ３の内部にプレート状の複数（本実施の形態では９枚）のタンブラ４を長手方向（キー１０の挿脱方向）に等間隔で配置して構成されている。
【００２０】
上記ホルダ２は、不図示の支持部材に固定されており、その内周面の相対向する２箇所（図１〜図３の上下２箇所）には係合溝２ａが長手方向（図１の左右方向）に沿ってそれぞれ形成されている。そして、図１に示すように、ホルダ２の底壁（奥側の壁）２Ａの中心部には前記シリンダ３の奥側端部に形成された連結部３Ａが貫通するための貫通孔２ｂが形成されており、該ホルダ２の手前側（図１の左側）の開口端はキャップ５によって塞がれている。尚、キャップ５は、ホルダ２の手前側の端部外周に嵌着されている。
【００２１】
前記シリンダ３は、前述のようにホルダ２の内部に回転可能に収容されており、その中心部には上下方向に長い略矩形のキー挿入穴３ａ（図２及び図３参照）が長手方向に沿って形成されている（図１参照）。
【００２２】
又、シリンダ３の中心部には上下方向に貫通する複数（タンブラ４と同数の９個）のタンブラ収納溝３ｂが長手方向に沿って等間隔で形成されており、該シリンダ３の奥側端部に突設された連結部３Ａは、前述のようにホルダ２の底壁２Ａに形成された貫通孔２ｂを貫通してホルダ２の外部に突出している。
【００２３】
前記９枚のタンブラ４は、図２〜図４に示すように、上下方向に長い略矩形の薄いプレートであって、これらはシリンダ３に形成された各タンブラ収納溝３ｂ内に径方向（図１〜図３の上下方向）に移動可能にそれぞれ収容されている。ここで、図１に示すように、９枚のタンブラ４に手前側からそれぞれ「＃１」〜「＃９」の番号を付すこととする。
【００２４】
而して、本実施の形態では、９枚のタンブラ４は交互に逆方向（上下方向）に付勢されている。具体的には、奇数番＃１，＃３，＃５，＃７，＃９のタンブラ４は上方に付勢され、偶数番＃２，＃４，＃６，＃８のタンブラ４は下方に付勢されている。
【００２５】
ところで、鍵違いの各シリンダ錠１は、図４の上段に示すタンブラ集合Ａに含まれる８枚のタンブラ４或いは図４の下段に示すタンブラ集合Ｂに含まれる８枚のタンブラ４の中から選択されて図１に示すように配置される。
【００２６】
ここで、キー１０は内溝キーであって、図５に示すキー１０は図４の上段に示すタンブラ集合Ａから選択されたタンブラ４を配置して成るシリンダ錠１に対して使用されるものであり、図６に示すキー１０は図４の下段に示すタンブラ集合Ｂから選択されたタンブラ４を配置して成るシリンダ錠１に対して使用されるものである。
【００２７】
図５及び図６に示す各キー１０は、その両面のうち、図５及び図６において手前側の面を「Ａ面」、その裏側の面を「Ｂ面」とすると、Ａ面とＢ面には上下対称形状（上下を逆にした形状）のキー溝１１，１２が長手方向に沿ってそれぞれ形成されている。尚、各キー１０のＡ面とＢ面に上下対称形状のキー溝１１，１２を形成することによってキー１０はリバーシブルキーとなり、このキー１０はＡ面とＢ面（表裏）を気にすることなくシリンダ３のキー挿入穴３ａに差し込むことができる。
【００２８】
図５に示すキー１０のＡ面に形成されたキー溝１１には奇数番＃１，＃３，＃５，＃７，＃９のタンブラ４に対応する５つのキー山１１ａ，１１ｂ，１１ｃ，１１ｄ，１１ｅが形成されており、これらのキー山１１ａ〜１１ｅの高さは図示のようにＰ１，Ｐ１，Ｐ２，Ｐ１，Ｐ４にそれぞれ設定されている。又、図５に示すキー１０のＢ面に形成されたキー溝１２には偶数番＃２，＃４，＃６，＃８のタンブラ４に対応する４つのキー山１２ａ，１２ｂ，１２ｃ，１２ｄが形成されており、これらのキー山１２ａ〜１２ｄの高さは図示のようにＰ３，Ｐ３，Ｐ３，Ｐ２にそれぞれ設定されている。
【００２９】
又、図６に示すキー１０のＡ面に形成されたキー溝１１には奇数番＃１，＃３，＃５，＃７，＃９のタンブラ４に対応する５つのキー山１１ａ，１１ｂ，１１ｃ，１１ｄ，１１ｅが形成されており、これらのキー山１１ａ〜１１ｅの高さは図示のようにＰ３，Ｐ３，Ｐ４，Ｐ３，Ｐ６にそれぞれ設定されている。又、図６に示すキー１０のＢ面に形成されたキー溝１２には偶数番＃２，＃４，＃６，＃８のタンブラ４に対応する４つのキー山１２ａ，１２ｂ，１２ｃ，１２ｄが形成されており、これらのキー山１２ａ〜１２ｄの高さは図示のようにＰ５，Ｐ５，Ｐ５，Ｐ４にそれぞれ設定されている。
【００３０】
ところで、図５及び図６に示す各キー１０において、奇数番＃１，＃３，＃５，＃７，＃９のタンブラ４は、各キー１０のＡ面に形成されたキー溝１１のキー山１１ａ〜１１ｅによってシリンダ３内を下動せしめられ、偶数番＃２，＃４，＃６，＃８のタンブラ４は、キー１０のＢ面に形成されたキー溝１２のキー山１２ａ〜１２ｄによってシリンダ３内を上動せしめられる。
【００３１】
そして、図５に示すキー１０によって解錠と施錠がなされるシリンダ錠１においては、奇数番＃１，＃３，＃５，＃７，＃９のタンブラ４は図４の上段に示すタンブラ集合Ａの（ａ）〜（ｄ）に示す４種類の中から選択され、偶数番＃２，＃４，＃６，＃８のタンブラ４はタンブラ集合Ａの（ｅ）〜（ｈ）の４種類の中から選択される。又、図６に示すキー１０によって解錠と施錠がなされるシリンダ錠１においては、奇数番＃１，＃３，＃５，＃７，＃９のタンブラ４は図４の下段に示すタンブラ集合Ｂの（ａ）〜（ｄ）に示す４種類の中から選択され、偶数番＃２，＃４，＃６，＃８のタンブラ４はタンブラ集合Ａの（ｅ）〜（ｈ）の４種類の中から選択される。
【００３２】
図４に示すように、各タンブラ集合Ａ，Ｂに属する各タンブラ４にはキー１０が貫通するための上下方向に長い矩形のキー貫通孔４Ａがそれぞれ形成されており、（ａ）〜（ｄ）に示す奇数番＃１，＃３，＃５，＃７，＃９に使用されるタンブラ４の右側部上側にはスプリング受け４ａが突設され、これらのタンブラ４のキー貫通孔４Ａの右端縁の異なる高さ位置には係合部４ｂがそれぞれ形成されている。
【００３３】
具体的には、図４の上段に示すタンブラ集合Ａにおいて、（ａ）〜（ｄ）に示すタンブラ４には、図５に示す高さＰ１〜Ｐ４に対応する位置に係合部４ｂがそれぞれ形成されており、本実施の形態では、奇数番＃１，＃３，＃５，＃７，＃９には（ａ）に示すタンブラ４（係合部４ｂの高さＰ１）が３枚、（ｂ）に示すタンブラ４（係合部４ｂの高さＰ２）が１枚、（ｃ）に示すタンブラ４（係合部４ｂの高さＰ４）が１枚使用されている。尚、タンブラ集合Ａにおいて（ａ）〜（ｄ）には、キー１０のＡ面側のキー溝１１によって動作する高さ（係合部４ｂの高さ）Ｐ１，Ｐ２，Ｐ３，Ｐ４のタンブラ４をそれぞれ「Ｐ１−Ａ」〜「Ｐ４−Ａ」と表記している。
【００３４】
又、図４の上段に示すタンブラ集合Ａにおいて、（ｅ）〜（ｈ）に示す偶数番＃２，＃４，＃６，＃８に使用されるタンブラ４の右側部下側にはスプリング受け４ａが突設され、これらのタンブラ４のキー貫通孔４Ａの左端縁の異なる高さ位置には係合部４ｂがそれぞれ形成されている。具体的には、（ｅ）〜（ｈ）に示すタンブラ４には、図５に示す高さＰ１〜Ｐ４に対応する位置に係合部４ｂがそれぞれ形成されており、本実施の形態では、偶数番＃２，＃４，＃６，＃８には（ｆ）に示すタンブラ４（Ｐ２）が１枚、（ｇ）に示すタンブラ４（Ｐ３）が３枚使用されている。尚、タンブラ集合Ａにおいて（ｅ）〜（ｈ）には、キー１０のＢ面側のキー溝１２によって動作する高さ（係合部４ｂの高さ）Ｐ１，Ｐ２，Ｐ３，Ｐ４のタンブラ４をそれぞれ「Ｐ１−Ｂ」〜「Ｐ４−Ｂ」と表記している。
【００３５】
他方、図４の下段に示すタンブラ集合Ｂにおいて、（ａ）〜（ｄ）に示すタンブラ４には、図６に示す高さＰ３〜Ｐ６に対応する位置に係合部４ｂがそれぞれ形成されており、本実施の形態では、奇数番＃１，＃３，＃５，＃７，＃９には（ａ）に示すタンブラ４（係合部４ｂの高さＰ３）が３枚、（ｂ）に示すタンブラ４（係合部４ｂの高さＰ４）が１枚、（ｄ）に示すタンブラ４（係合部４ｂの高さＰ６）が１枚使用されている。尚、タンブラ集合Ｂにおいて（ａ）〜（ｄ）には、キー１０のＡ面側のキー溝１１によって動作する高さ（係合部４ｂの高さ）Ｐ３，Ｐ４，Ｐ５，Ｐ６のタンブラ４をそれぞれ「Ｐ３−Ａ」〜「Ｐ６−Ａ」と表記している。
【００３６】
又、図４の下段に示すタンブラ集合Ｂにおいて、（ｅ）〜（ｈ）に示す偶数番＃２，＃４，＃６，＃８に使用されるタンブラ４の右側部下側にはスプリング受け４ａが突設され、これらのタンブラ４のキー貫通孔４Ａの左端縁の異なる高さ位置には係合部４ｂがそれぞれ形成されている。具体的には、（ｅ）〜（ｈ）に示すタンブラ４には、図６に示す高さＰ３〜Ｐ６に対応する位置に係合部４ｂがそれぞれ形成されており、本実施の形態では、偶数番＃２，＃４，＃６，＃８には（ｆ）に示すタンブラ４（Ｐ４）が１枚、（ｇ）に示すタンブラ４（Ｐ５）が３枚使用されている。尚、タンブラ集合Ｂにおいて（ｅ）〜（ｈ）には、キー１０のＡ面側のキー溝１１によって動作する高さ（係合部４ｂの高さ）Ｐ３，Ｐ４，Ｐ５，Ｐ６のタンブラ４をそれぞれ「Ｐ３−Ｂ」〜「Ｐ６−Ｂ」と表記している。
【００３７】
ところで、本実施の形態では、タンブラ集合Ａ，Ｂに属する８枚のタンブラ４のうち、形状は異なっても係合部４ｂの高さが（段差）が同じものは同種類として定義しており、従って、タンブラ集合Ａ，Ｂには共に４種類のタンブラ４が含まれている。例えば、図４の下段に示すタンブラ集合Ｂにおいて（ｄ）に示すタンブラ（Ｐ６−Ａ）と（ｈ）に示すタンブラ（Ｐ６−Ｂ）とは同一種類とする。
【００３８】
而して、本実施の形態では、１つのグループ内のシリンダ錠１には、段違い（係合部４ｂの高さＰ１〜Ｐ４）が連続する４種類のタンブラ４によって構成されるタンブラ集合Ａの中から選択された９枚のタンブラ４が配置される。そして、別のグループ内のシリンダ錠１には、段違い（係合部４ｂの高さＰ３〜Ｐ６）が連続してタンブラ集合Ａと同じ４種類のタンブラ４を有するタンブラ集合Ｂの中から選択された９枚のタンブラ４が配置されるが、このタンブラ集合Ｂにはタンブラ集合Ａに含まれるタンブラ４と種類を異にする２種類のタンブラ４（係合部４ｂの高さがＰ５とＰ６のもの）が含まれ、他のタンブラ４（係合部４ｂの高さがＰ３とＰ４のもの）はタンブラ集合Ａに含まれるものと共通である。
【００３９】
タンブラ集合Ａに含まれるタンブラ４には高さがＰ１〜Ｐ４まで段差が３段で連続的に変化する係合部４ｂが形成され、タンブラ集合Ｂに含まれるタンブラ４には高さがＰ３〜Ｐ６まで段差が３段で連続的に変化する係合部４ｂが形成されているが、両タンブラ集合Ａ，Ｂにおいてはタンブラ４の段差は３段と同じであるが、タンブラ集合Ｂに含まれるタンブラ４が配置されたシリンダ錠１に使用される図６に示すキー１０のキー溝１１は、タンブラ集合Ａに含まれるタンブラ４が配置されたシリンダ錠１に使用される図５に示すキー１０のキー溝１１に対して２山分だけ上側にシフトした形状を有している。
【００４０】
ところで、前述のように奇数番＃１，＃３，＃５，＃７，＃９のタンブラ４と偶数番＃２，＃４，＃６，＃８のタンブラ４はシリンダ３の各タンブラ収納溝３ｂに交互に収容されてシリンダ３の長手方向（キー１０の挿入方向）に沿って配置されている。そして、図２に示すように、奇数番＃１，＃３，＃５，＃７，＃９のタンブラ４は、これらに形成されたスプリング受け４ａとシリンダ３に形成されたスプリング受け３ｃの間に縮装されたスプリング６によって常時上方（ホルダ２の上側の係合溝２ａに係合する方向）に付勢されている。又、図３に示すように、偶数番＃２，＃４，＃６，＃８のタンブラ４は、これらに形成されたスプリング受け４ａとシリンダ３に形成されたスプリング受け３ｃの間に縮装されたスプリング６によって常時下方（ホルダ２の下方の係合溝２ａに係合する方向）に付勢されている。
【００４１】
以上のように構成されたシリンダ錠１において、図２（ｂ）及び図３（ｂ）に示すようにキー１０がシリンダ３のキー挿入穴３ａに挿入されていない状態では、奇数番＃１，＃３，＃５，＃７，＃９の各タンブラ４は、図２（ｂ）に示すようにスプリング６によって上方に移動してシリンダ３の外周面から突出し、ホルダ２の上方の係合溝２ａに係合しており、偶数番＃２，＃４，＃６，＃８の各タンブラ４は、図３（ｂ）に示すようにスプリング６によって下方に移動してシリンダ３の外周面から突出し、ホルダ２の下方の係合溝２ａに係合している。従って、キー１０がシリンダ３のキー挿入穴３ａに挿入されていない状態では、シリンダ錠１は、シリンダ３の回転が阻止される施錠状態にある。
【００４２】
次に、図１、図２（ａ）及び図３（ａ）に示すように、キー１０をシリンダ３のキー挿入穴３ａに差し込むと、該キー１０のＡ面に形成されたキー溝１１のキー山１１ａ〜１１ｅが奇数番＃１，＃３，＃５，＃７，＃９のタンブラ４の係合部４ｂに係合して図２（ａ）に示すように各タンブラ４をスプリング６の付勢力に抗して押し下げるため、各タンブラ４はシリンダ３内に没入してホルダ２の上方の係合溝２ａとの係合が解除される。又、キー１０のＢ面に形成されたキー溝１２のキー山１２ａ〜１２ｄが偶数番＃２，＃４，＃６，＃８のタンブラ４の係合部４ｂに係合して図３（ａ）に示すように各タンブラ４をスプリング６の付勢力に抗して押し上げるため、各タンブラ４はシリンダ３内に没入してホルダ２の下方の係合溝２ａとの係合が解除される。このように、キー１０をシリンダ３のキー挿入穴３ａに差し込むと、全てのタンブラ４が移動してホルダ２の係合溝２ａとの係合が解除されるため、シリンダ３はホルダ２内で回転可能となってシリンダ錠１が解錠状態となる。
【００４３】
ところで、キー１０をシリンダ３のキー挿入穴３ａに差し込んでいくと、各タンブラ４はキー１０のキー溝１１，１２に沿ってジョｙ下方向に移動する。このとき、タンブラ４は、係合部４ｂが各キー１０のキー山１１ａ〜１１ｅ，１２ａ〜１２ｅに係合してスプリング６の付勢力に抗して没入方向に移動するが、タンブラ４の係合部４ｂとキー１０のキー山１１ａ〜１１ｅ，１２ａ〜１２ｅとの段差が一致しないと、タンブラ４がスプリング６の付勢力とは逆方向に大きく移動して、タンブラ４の端部がシリンダ３から逆方向に突出する場合がある。その突出量が一番大きいのは、タンブラ集合Ａから構成したシリンダ錠１では、係合部４ｂの高さがＰ４のタンブラ４と高さがＰ１のキー山１１ａ〜１１ｅとが係合した場合であり、その突出量は３段分の長さとなる。一方、タンブラ集合Ｂから構成したシリンダ錠１では、係合部４ｂの高さがＰ６のタンブラ４と高さがＰ３のキー山１１ａ〜１１ｅとが係合した場合であり、その突出量も同様に３段分の長さとなる。即ち、タンブラ４の逆方向への突出量は、各タンブラ集合Ａ，Ｂ内のタンブラ４の種類の数に比例して大きくなる。
【００４４】
而して、本実施の形態では、タンブラ集合Ａとタンブラ集合Ｂにそれぞれ含まれる段違いタンブラ４の種類が４種類と同数（種類は一部異なる）であるため、キー１０の挿入途中において各タンブラ４がキー１０のキー山１１ａ〜１１ｅ，１２ａ〜１２ｄに沿って突出方向に移動する長さ範囲がタンブラ集合Ａとタンブラ集合Ｂについて同じとなる。このため、タンブラ集合Ａとタンブラ集合Ｂに含まれる全てのタンブラ４（６種類）の中から所定のタンブラ４を選択して配置する方法に比べてシリンダ錠１の外径を小さく抑えることができる。又、タンブラ集合Ａとタンブラ集合Ｂは異なる種類（段違い）のタンブラ４を各２つ含むため、その分だけ全体として鍵違い数を増やすことができる。
【００４５】
更に、本実施の形態では、各タンブラ集合Ａ，Ｂは２個の同じ種類のタンブラ４を含むように設定されるとともに、各グループ内の１つにシリンダ錠１を構成する場合、タンブラ集合Ａ又はＢの中からそれぞれ少なくとも３種類のタンブラ４を選択するように構成している。即ち、各タンブラ集合Ａ，Ｂからそれぞれ少なくとも３種類のタンブラ４を選択した場合に、その中で２種類は同じ種類のタンブラ４が選択される可能性があるが、必ず１種類は異なる種類のタンブラ４が選択されることになる。従って、各グループ間で同じキー山の組み合わせとなる鍵及びシリンダ錠１が構成されることがなく、これによって、各グループ間で共通する鍵が設定されることを無くすことができ、鍵違いの設定管理が容易化する。更に、各タンブラ集合Ａ，Ｂは２個の同じ種類のタンブラ４を含むよう設定されているため、より少ないタンブラ４の種類でシリンダ錠１を構成することができる。
【００４６】
尚、本実施の形態においては、タンブラ集合Ａとタンブラ集合Ｂは異なる種類のタンブラを２つ含むように構成しているが、異なる種類のタンブラを１つ又は３つ以上含むように構成しても良い。この場合でも、全体として鍵違い数を増やすことが可能である。
【符号の説明】
【００４７】
１              シリンダ錠
２              ホルダ
２Ａ            ホルダの低壁
２ａ            ホルダの係合溝
２ｂ            ホルダの貫通孔
３              シリンダ
３Ａ            シリンダの連結部
３ａ            シリンダのキー挿入穴
３ｂ            シリンダのタンブラ収納溝
３ｃ            シリンダのスプリング受け
４              タンブラ
４Ａ            タンブラのキー貫通孔
４ａ            タンブラのスプリング受け
４ｂ            タンブラの係合部
５              キャップ
６              スプリング
１０            キー
１１，１２      キー溝
１１ａ〜１１ｅ  キー山
１２ａ〜１２ｄ  キー山
Ｐ１〜Ｐ６      タンブラの係合部の高さ
【図１】
0005545842.tif 000002
【図２】
0005545842.tif 000003
【図３】
0005545842.tif 000004
【図４】
0005545842.tif 000005
【図５】
0005545842.tif 000006
【図６】
0005545842.tif 000007